(57)【要約】【課題】作業者の労力の軽減を図れ、且つ埋設物の損傷を確実に防ぐことが可能な埋設物探査装置を提供することを目的とする。【解決手段】本発明にかかる埋設物探査装置の構成は、地中に埋設されている埋設物１９８を探査する埋設物探査装置１００であって、地中に挿入される長尺の外管１２２と、外管の内部に挿入される内管１２４と、外管または内管の一方に水を圧送するポンプ１０２と、外管または内管の他方に空気を圧送するコンプレッサ１０４と、外管の下端に設けられ、圧送された水と空気を混合してジェット水流１９４とし、ジェット水流を地中に噴射して掘削する噴射部１４０と、を備えることを特徴とする。【選択図】図１
2011179833.tif 000002
【特許請求の範囲】
【請求項１】
地中に埋設されている埋設物を探査する埋設物探査装置であって、
地中に挿入される長尺の外管と、
前記外管の内部に挿入される内管と、
前記外管または内管の一方に水を圧送するポンプと、
前記外管または内管の他方に空気を圧送するコンプレッサと、
前記外管の下端に設けられ、前記圧送された水と空気を混合してジェット水流とし、該ジェット水流を前記地中に噴射して掘削する噴射部と、
を備えることを特徴とする埋設物探査装置。
【請求項２】
前記外管に連結してこれを延長する連結外管と、前記内管に連結してこれを延長する連結内管とを更に備えることを特徴とする請求項１に記載の埋設物探査装置。
【請求項３】
当該埋設物探査装置の上端に着脱可能に取り付けられるハンドルを更に備えることを特徴とする請求項１に記載の埋設物探査装置。
【請求項４】
前記外管は外周面の上端近傍に凸部を有し、
前記ハンドルは、前記外管の外周面を挟み込む分割部材からなり、その内面に前記凸部と嵌合する凹部を有することを特徴とする請求項３に記載の埋設物探査装置。
【請求項５】
前記内管および前記噴射部の中央部は前記外管から抜出可能であり、
前記内管および前記噴射部の中央部を抜き出した後に、前記外管内にファイバスコープを挿入して、前記噴射部の下端から画像を撮影可能であることを特徴とする請求項１に記載の埋設物探査装置。
【請求項６】
前記ファイバスコープにて撮影しながら、前記外管と前記ファイバスコープの間を通して前記噴射部の下端から水を流出可能であることを特徴とする請求項５に記載の埋設物探査装置。
【発明の詳細な説明】
【技術分野】
【０００１】
本発明は、地中に埋設されている埋設物を探査する埋設物探査装置に関するものである。
【背景技術】
【０００２】
近年、都市における景観への配慮や安全性という観点から地中配線の普及が進んでいる。地中配線では、地中に配管を埋設し、かかる配管内に電力ケーブルや通信ケーブル等を挿通している。このような埋設された配管（以下、埋設物と称する）が存在する現場において掘削作業を行う場合、掘削機との接触により埋設物が損傷しないよう事前に地中の探査を行い、埋設物の配置を予め把握する必要がある。
【０００３】
従来の埋設物の探査では、鉄鋼等の剛堅な材料からなる探査棒を地中に突き刺し、探査棒の先端への接触の有無で埋蔵物が存在するか否かを判断していた。しかし、このような方法であると、探査棒を地中に突き刺した際に探査棒と埋設物とが接触し、埋設物が損傷してしまうことがあった。特に、探査棒を地中深くに刺し込むにつれて、探査棒からの圧力によりその先端近傍に強固な土の塊である圧力球根が形成される。すると、探査棒を更に深く刺し込むためには圧力球根に貫通させなければならず、より強い力で探査棒を突き刺すこととなる。したがって、探査棒と接触した際に埋設物が損傷する可能性がより高まってしまう。
【０００４】
そこで、特許文献１には、中空鋼管の一端に噴射ノズルを設け、他端に中空鋼管に給水ホースを連結するホース連結部材が設けた探査棒が開示されている。これによれば、中空鋼管に高圧水を通すと噴射ノズルから水が勢いよく噴射されるため、探査棒先端部分の土砂を崩すことができ、探査棒の挿入労力を軽減可能であるとしている。
【先行技術文献】
【特許文献】
【０００５】
【特許文献１】実開平７−８７９０号公報
【発明の概要】
【発明が解決しようとする課題】
【０００６】
上述したように特許文献１の探査棒では、噴射ノズルから高圧水が噴射されるため、地中において圧力球根が形成された場合であっても、高圧水によりかかる圧力球根を軟化させられる可能性はある。しかし、結局のところ、特許文献１の探査棒の探査棒を地中に刺し込むためには、それを叩き込まなくてはならないという点においては従来の探査と同様である。故に、特許文献１には探査棒を叩き込むための重り部材が記載されている。このように打ち込みを行うと、探査棒との接触による埋設物の損傷を完全に防ぐことはできない。むしろ、周囲の土砂が高圧水でゆるんだとすると、探査棒を叩き込むことによって却って埋設物が損傷する可能性を増大させてしまう。
【０００７】
本発明は、このような課題に鑑み、作業者の労力の軽減を図れ、且つ埋設物の損傷を確実に防ぐことが可能な埋設物探査装置を提供することを目的とする。
【課題を解決するための手段】
【０００８】
上記課題を解決するために、本発明にかかる埋設物探査装置の代表的な構成は、地中に埋設されている埋設物を探査する埋設物探査装置であって、地中に挿入される長尺の外管と、外管の内部に挿入される内管と、外管または内管の一方に水を圧送するポンプと、外管または内管の他方に空気を圧送するコンプレッサと、外管の下端に設けられ、圧送された水と空気を混合してジェット水流とし、ジェット水流を地中に噴射して掘削する噴射部と、を備えることを特徴とする。
【０００９】
ジェット水流は単なる高圧水よりも強い勢いを有する。したがって、上記構成によれば、ジェット水流により噴射部近傍において土が除去され地中に穴が形成される。このため、ジェット水流によって形成された穴に徐々に埋設物探査装置を押し進めていくだけで、任意の深さまで挿入することができる。したがって、力をかけて埋設物探査装置を地中に刺し込む必要がないため、作業者の労力の軽減を図れ、且つ埋設物の損傷を確実に防ぐことが可能となる。また力をかけずに埋設物探査装置を挿入するのみであるため、圧力球根が形成されない。故に、埋設物探査装置を圧力球根に貫通させるために多大な労力を費やす必要がない。
【００１０】
上記の外管に連結してこれを延長する連結外管と、内管に連結してこれを延長する連結内管とを更に備えるとよい。かかる構成によれば、埋設物探査装置を地中深くまで挿入することで外管および内管の長さが不足した場合であっても、連結外管および連結内管を連結して外管および内管を延長し、更なる挿入すなわち更なる探査を行うことが可能となる。
【００１１】
当該埋設物探査装置は、その上端に着脱可能に取り付けられるハンドルを更に備えるとよい。これにより、ハンドルを把持して操作することができるため、作業性の向上を図ることが可能となる。またハンドルを着脱可能な構成とすることにより、不要な場合には撤去したり、持ち運ぶときに分解したりでき、高い利便性が得られる。
【００１２】
上記の外管は外周面の上端近傍に凸部を有し、ハンドルは、外管の外周面を挟み込む分割部材からなり、その内面に凸部と嵌合する凹部を有するとよい。かかる構成によれば、ハンドルは外管の上端近傍の外周面に設けられる。したがって、外管の上端面にポンプの管やコンプレッサの管が接続されている場合等であっても当該埋設物探査装置にハンドルを設けることができ、上述したハンドルと同様の利点を得ることが可能となる。
【００１３】
上記の内管および噴射部の中央部は外管から抜出可能であり、内管および噴射部の中央部を抜き出した後に、外管内にファイバスコープを挿入して、噴射部の下端から画像を撮影可能であるとよい。これにより、ファイバスコープを用いて地中内部における当該埋設物探査装置下方の状況を把握することができる。また内管を抜き出して外管にファイバスコープを挿入可能な構成としたことにより、ファイバスコープを挿入するための幅を得るために内管および外管の直径を広げずにすむため、埋設物探査装置の大型化を招くことがない。
【００１４】
上記のファイバスコープにて撮影しながら、外管とファイバスコープの間を通して噴射部の下端から水を流出可能であるとよい。かかる構成によれば、ファイバスコープの前方の泥水（土砂）を除去することができるため、ファイバスコープの視野を明瞭にすることができる。なお、この場合において、水の流出する勢いは泥水を押しのけられる程度であればよく、掘削するほどの高圧水は不要である。
【発明の効果】
【００１５】
本発明によれば、作業者の労力の軽減を図れ、且つ埋設物の損傷を確実に防ぐことが可能な埋設物探査装置を提供することができる。
【図面の簡単な説明】
【００１６】
【図１】本実施形態にかかる埋設物探査装置の外観を示す図である。
【図２】管部および蓋部の詳細を示す図である。
【図３】噴射部の詳細を示す図である。
【図４】管部の延長について説明する図である。
【図５】ファイバスコープの挿入を説明する図である。
【図６】ハンドルおよびその装着を説明する図である。
【図７】探査装置による埋設物の探査について説明する図である。
【図８】管部の他の例を示す図である。
【図９】蓋部および噴射部の他の例を示す図である。
【発明を実施するための形態】
【００１７】
以下に添付図面を参照しながら、本発明の好適な実施形態について詳細に説明する。かかる実施形態に示す寸法、材料、その他具体的な数値等は、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
図１は、本実施形態にかかる埋設物探査装置（以下、探査装置１００と称する）の外観を示す図である。図１に示すように、探査装置１００は、主に、ポンプ１０２と、コンプレッサ１０４と、本体１１０とから構成される。ポンプ１０２は、本体１１０（厳密には、後述する外管１２２または内管１２４の一方）に水を圧送する。コンプレッサ１０４は、本体１１０（厳密には、後述する外管１２２または内管１２４の他方）に空気を圧送する。そして、探査装置１００は、ポンプ１０２から圧送された水と、コンプレッサ１０４から圧送された空気とを混合して生成したジェット水流を地中に噴射し、地中に埋設されている埋設物を探査する。
【００１９】
本体１１０は、主に、管部１２０と、蓋部１３０と、噴射部１４０とから構成される。図２は、管部１２０および蓋部１３０の詳細を示す図である。図２（ａ）は管部１２０および蓋部１３０の分解時の外観斜視図であり、図２（ｂ）は管部１２０および蓋部１３０の接続時の外観斜視図であり、図２（ｃ）は図２（ｂ）の部分断面図である。
【００２０】
管部１２０は、水および空気の流路となる部材であり、地中に挿入される長尺の外管１２２と、かかる外管１２２の内部に挿入される内管１２４とから構成される。本実施形態では、外管１２２の外面にポンプ連結部１２２ａが設けられており、ここにポンプ１０２が接続されることにより、ポンプ１０２から圧送された水が外管１２２内に供給される。一方、内管１２４には、後述する蓋部１３０を介してコンプレッサ１０４から空気が供給される。
【００２１】
また外管１２２の上端および下端の内面には雌螺子部１２２ｂが、内管１２４の上端および下端の内面には雌螺子部１２４ｂが設けられている（内管１２４の下端の雌螺子部１２４ｂは図示されていない）。これにより、外管１２２および内管１２４の上端に蓋部１３０を、それらの下端に噴射部１４０を螺着し、本体１１０を組み立てることができる（図１参照）。
【００２２】
なお、本実施形態では、外管１２２に水が、内管１２４に空気が流通する構成としたが、これに限定するものではなく、逆の構成としてもよい。また管部１２０では外管１２２と内管１２４とを別体としたが、これにおいても限定されず、これらは連結（接続）されて一体に構成されていてもよい。
【００２３】
蓋部１３０は、管部１２０の上端に取り付けられ、かかる管部１２０を閉鎖する。蓋部１３０には、外面にコンプレッサ接続部１３０ａが、内部に流通路１３０ｂが設けられており、コンプレッサ接続部１３０ａにコンプレッサ１０４が接続されることにより、圧送された空気が流通路１３０ｂを通過して内管１２４に供給される。
【００２４】
また蓋部１３０には雄螺子部１３０ｃおよび１３０ｄが設けられており、雄螺子部１３０ｃを外管１２２の雌螺子部１２２ｂに、雄螺子部１３０ｄを内管１２４の雌螺子部１２４ｂに螺合することにより、蓋部１３０が管部１２０に螺嵌される。
【００２５】
更に本実施形態においては、蓋部１３０にハンドル１３２を着脱可能である。詳細には、本実施形態においてはハンドル取付穴１３０ｅが設けられており、これにハンドル１３２の端部を取り付けることにより、蓋部１３０にハンドル１３２を装着することができる。かかる構成により、ハンドル１３２を把持して当該探査装置１００を操作することができるため、作業性の向上を図ることが可能となる。またハンドル１３２が着脱可能な構成であるため、不要な場合や運搬時にはこれを取り外すことができ、高い利便性が得られる。
【００２６】
なお、本実施形態ではコンプレッサ接続部１３０ａやハンドル取付穴１３０ｅを蓋部１３０の側面に設ける構成としたが、これに限定するものではなく、これらは蓋部１３０の上面に設けられていてもよい。また図示はしないが、ハンドル取付穴１３０ｅではなく、蓋部１３０の側面に凸部を、ハンドル１３２に凹部を設け、凹部に凸部を挿入することでハンドル１３２を装着する構成としてもよい。
【００２７】
噴射部１４０は、外管１２２の下端に設けられ、圧送された水と空気を混合してジェット水流とし、かかるジェット水流を地中に噴射する。図３は、噴射部１４０の詳細を示す図である。図３（ａ）は噴射部１４０の分解斜視図であり、図３（ｂ）は図３（ａ）の断面斜視図であり、図３（ｃ）は外管噴射部１４２を内管噴射部１４４に挿入した際の断面斜視図である。
【００２８】
図３（ａ）に示すように、本実施形態にかかる噴射部１４０は、外管噴射部１４２と内管噴射部１４４とから構成される。外管噴射部１４２は、その上端に、外管１２２の雌螺子部１２２ｂに螺合可能な雄螺子部１４２ａを有している。内管噴射部１４４は、噴射部１４０の中央部であり、その上端に、内管１２４の雌螺子部１２４ｂに螺合可能な雄螺子部１４４ａを有している。
【００２９】
内管噴射部１４４を図３（ｂ）に示す矢印の方向に外管噴射部１４２に挿入すると、外管噴射部１４２の先端の凸部１４２ｂに内管噴射部１４４の凸部１４４ｂが掛止され、図３（ｃ）に示すように噴射部１４０が組み立てられる。そして、当該探査装置１００の運転時には、外管１２２を通過して外管噴射部１４２に流入した水が、内管噴射部１４４の連通孔１４４ｃから内管噴射部１４４に流れ込む。そして、流れ込んだ水は、内管１２４を通過して内管噴射部１４４に流入した空気と混合されてジェット水流となり、内管噴射部１４４の先端の噴出孔１４４ｅから噴射される。
【００３０】
上記説明したように、本体１１０は各部材の螺子部を利用して組み立てられるが、本実施形態では更に、これらの螺子部を利用して管部１２０の長さを延長させることができる。
【００３１】
図４は、管部１２０の延長について説明する図である。図４（ａ）は連結外管１５２および連結内管１５４を示す図であり、図４（ｂ）は連結外管１５２および連結内管１５４を連結した後の状態を示す図である。
【００３２】
詳細には、探査装置１００は、連結外管１５２および連結内管１５４を更に備える。連結外管１５２は、外管１２２と略同一の直径であり、一端に雄螺子部１５２ａを、他端に雌螺子部１５２ｂを有する。これにより、雄螺子部１５２ａを外管１２２の雌螺子部１２２ｂ（図２参照）に螺合してこれらを連結し、外管１２２を延長することができる。連結内管１５４は、内管１２４と略同一の直径であり、一端に雄螺子部１５４ａを、他端に雌螺子部１５４ｂを有する。これにより、雄螺子部１５４ａを内管１２４の雌螺子部１２４ｂ（図２参照）に螺合してこれらを連結し、内管１２４を延長することができる。
【００３３】
そして、上記のように連結外管１５２および連結内管１５４を用いて管部１２０を延長したら、図４（ｂ）に示すように、連結外管１５２の雌螺子部１５２ｂおよび連結内管１５４の雌螺子部１５４ｂに、外管噴射部１４２の雄螺子部１４２ａおよび内管噴射部１４４の雄螺子部１４４ａを螺合する。これにより、探査装置１００を地中深くまで挿入する際に管部１２０（外管１２２および内管１２４）の長さが不足した場合等に対処することができる。
【００３４】
なお、図４（ｂ）では管部１２０と噴射部１４０との間に連結外管１５２および連結内管１５４を設ける場合を例示したが、これに限定するものではなく、管部１２０と蓋部１３０との間に連結外管１５２および連結内管１５４を設けてもよい。その場合、ポンプ連結部１２２ａは蓋部１３０に設けられる構成とすることが好ましく、また連結外管１５２の雌螺子部１５２ｂおよび連結内管１５４の雌螺子部１５４ｂは、下側に位置して蓋部１３０の雄螺子部１３０ｃおよび雄螺子部１３０ｄを螺合されることは言うまでもない。
【００３５】
また上述したように、管部１２０において外管１２２と内管１２４は別体であり、且つ噴射部１４０においてそれらに接続される部材すなわち外管噴射部１４２と内管噴射部１４４も別体である。したがって、外管１２２から内管１２４を、および外管噴射部１４２から内管噴射部１４４を抜出可能である。これにより、内管１２４および内管噴射部１４４を抜き出した後に、外管１２２内にファイバスコープを挿入することができる。
【００３６】
図５は、ファイバスコープ１６０の挿入を説明する図である。図５（ａ）および（ｂ）は外管１２２へのファイバスコープ１６０の挿入を説明する断面図であり、図５（ｃ）は図５（ａ）のＡ−Ａ断面図である。内管１２４は直径が小さいため内管１２４内にはファイバスコープ１６０を挿入できないが、外管１２２は直径が大きいため、図５（ａ）に示すように、内管１２４を抜き出せば外管１２２内にファイバスコープ１６０を挿入可能となる。このような構成により、ファイバスコープ１６０を挿入するための幅を得るために内管１２４ひいては外管１２２の直径を広げずにすむため、探査装置１００の大型化を招くことがない。なお、内管１２４と共に内管噴射部１４４を抜き出すことにより、ファイバスコープ１６０の撮影領域（開口面積）を確保することが可能となる。
【００３７】
本実施形態のように内管１２４を抜出した後に外管１２２にファイバスコープ１６０を挿入する場合、外管噴射部１４２の内側に台座部１４２ｃを設けることが好ましい（図５（ａ）参照）。台座部１４２ｃは、外管噴射部１４２の内壁から先端に向かって幅が狭くなる傾斜面と、ファイバスコープ１６０の先端の縁部が当接する平坦面とから形成されている。これにより、内管１２４および内管噴射部１４４を抜き出した後の外管１２２内に挿入されたファイバスコープ１６０は、ファイバスコープ１６０を単に挿入するだけで図５（ｂ）に示すように外管噴射部１４２の中央に配置される。したがって、外管噴射部１４２の凸部１４２ｂのファイバスコープ１６０の撮影領域への入り込みを防止することができる。
【００３８】
上記のように配置されたファイバスコープ１６０は、外管１２２（厳密には外管噴射部１４２）の下端から画像を撮影可能である。これにより、ファイバスコープ１６０を用いて地中内部における探査装置１００の下方の状況を把握することができる。したがって、例えば埋設物が配管である場合、それをファイバスコープ１６０で撮影して配管の色を視認し、その色によって、電力ケーブルや通信ケーブル等のいずれの配線を挿通された配管なのかを判断することができる。このため、利便性の向上を図ることが可能となる。
【００３９】
また上記の台座部１４２ｃはスペーサとしても役割も担う。すなわち、図５（ｃ）に示すように、台座部１４２ｃは、外管噴射部１４２の内側（凸部１４２ｂの上面）の全面ではなく、一部に設けられている。したがって、ファイバスコープ１６０において、台座部１４２ｃと接触していない部分では、外管噴射部１４２の内側との間に間隙１４２ｄが生じる（図５（ｂ）参照）。このような構成により、ファイバスコープ１６０を用いて撮影をする際に、外管１２２内に水を流し、その水を、外管噴射部１４２の内側とファイバスコープ１６０との間の間隙１４２ｄを通して外管噴射部１４２の先端（下端）から探査装置１００の外へ流出させることが可能となる。したがって、流出した水によりファイバスコープ１６０の前方の泥水（土砂）を除去し、ファイバスコープ１６０の視野を明瞭にすることができる。このとき、外管１２２内に流す水の勢いは、泥水を押しのけられる程度であればよく、水の流出する掘削時のように高圧である必要はない。
【００４０】
ところで、図５（ａ）に示すように、外管１２２にファイバスコープ１６０を挿入する際には蓋部１３０（図２参照）を取り外している。ここで、ファイバスコープ１６０を挿入した後に外管１２２の上端に図１に示した蓋部１３０を取り付けようとしても、そこにはファイバスコープ１６０のケーブル１６０ａが存在する。したがって、外管１２２に蓋部１３０を装着できない。そこで本実施形態では、外管１２２にファイバスコープ１６０を挿入した場合には別構成のハンドル１７０を装着する。
【００４１】
図６は、ハンドル１７０およびその装着を説明する図である。図６（ａ）はハンドル１７０および図５（ａ）の上端近傍の斜視図であり、図６（ｂ）はハンドル１７０を外管１２２に装着した状態を示す断面図である。図５および図６に示すように、外管１２２の外周面の上端近傍には、断面が多角形状（図では六角形状）の凸部１２２ｃが設けられており、この凸部１２２ｃにハンドル１７０が装着される。
【００４２】
ハンドル１７０は、外管１２２の外周面を挟み込む分割部材１７２および１７４から構成される。分割部材１７２および１７４には、内面に外管１２２の凸部１２２ｃと嵌合する凹部１７２ａおよび１７４ａが設けられ、下面に外管１２２と略同じ直径を有しそれを挟持する外管挟持部１７２ｂおよび１７４ｂが設けられている。また分割部材１７２および１７４には、上面にファイバスコープ１６０のケーブル１６０ａと略同じ直径を有しそれを挟持するケーブル挟持部１７２ｄおよび１７４ｄが設けられている。
【００４３】
このような構成により、分割部材１７２および分割部材１７４を当接させて閉状態とすることにより、図６（ｂ）に示すように凹部１７２ａおよび１７４ａと凸部１２２ｃとが嵌合し、ハンドル１７０が外管１２２を挟持する状態でこれに装着される。このとき、外管挟持部１７２ｂおよび１７４ｂは外管１２２を挟持し、ケーブル挟持部１７２ｄおよび１７４ｄはケーブル１６０ａを挟持する。そして、分割部材１７２に設けられた係止部１７２ｃに、分割部材１７４に設けられた係合部１７４ｃを係合させることにより、ハンドル１７０が外管１２２に確実に固定される。なお図では係止部１７２ｃと係合部１７４ｃはパッチン錠を描いているが、既知のロック金具やカンヌキ金具なども用いることができる。
【００４４】
上記構成によれば、ハンドル１７０は外管１２２の外周面に装着されるため、外管１２２の上端面近傍にファイバスコープ１６０のケーブル１６０ａが存在する場合においても本体１１０にハンドル１７０を取り付けることができる。したがって、上述したハンドル１３２と同様の操作性を確保することが可能となる。また本実施形態においては図示していないが、例えば外管１２２の上端面にポンプ１０２の管やコンプレッサ１０４の管が接続されている場合等においても、探査装置１００にハンドル１７０を装着することが可能となる。
【００４５】
なお、上述したハンドル１７０は蓋部としても機能する。すなわち、ハンドル１７０を外管１２２に装着すると、かかる外管１２２の上面はハンドル１７０のケーブル挟持部１７２ｄおよび１７４ｄにより密封される。したがって、ファイバスコープ１６０による撮影時に外管１２２に水を供給しても、その上端からの水の溢水が防止される。
【００４６】
ケーブル挟持部１７２ｄおよび１７４ｄの内周面には、パッキンやＯリング等の防水部材（シール部材）を貼付することが好ましい。これにより、ハンドル１７０を外管１２２に装着した際の密閉性を高められ、外管１２２上端からの溢水をより確実に防ぐことが可能となる。
【００４７】
また上述したハンドル１７０は、必ずしもこれに限定するものではない。例えば図１に示した蓋部１３０の中央にケーブル１６０ａを挿通可能な挿通孔を設け、挿通孔を使用しない場合にはそれを封止する封止部材を挿入するというような構成にしてもよい。
【００４８】
次に、本実施形態にかかる探査装置１００を用いた埋設物の探査について説明する。図７は、探査装置１００による埋設物１９８の探査について説明する図である。なお、図７では、ポンプ１０２およびコンプレッサ１０４の図示を省略している。
【００４９】
図７（ａ）に示す作業現場において埋設物１９８の探査を行う場合、まず探査を行う場所の地面１９０近傍のコンクリート１９０ａを掘削し、図７（ｂ）に示すように本体１１０（探査装置１００）を挿入する穴１９２ａを形成する。そして、本体１１０の先端すなわち噴射部１４０を穴１９２ａに挿入し、本体１１０に、ポンプ１０２から水を圧送し、コンプレッサ１０４から空気を圧送する（図１参照）。そして、噴射部１４０において水および空気はジェット水流１９４となり地中に噴射される。
【００５０】
上記のジェット水流１９４は単なる高圧水よりも強い勢いを有するため、その勢いにより噴射部１４０近傍において土１９０ｂが掘削され、地中に穴１９２ｂが形成される。そして、この穴１９２ａに沿って本体１１０（探査装置１００）を挿入すると更に土１９０ｂが掘削される。これを継続することにより、図７（ｃ）に示すように地中深くまで任意の深さの穴１９２ｂが形成される。
【００５１】
ここで、図７（ｃ）では、管部１２０の大部分が地中に挿入され、ハンドル１３２が地面１９０に近接している。これでは、地中の更に深い部分に挿入することができない。そこで、図７（ｄ）に示すように、管部１２０に連結外管１５２および連結内管１５４（連結内管１５４は図示されていない）を連結する。これにより、更なる挿入を行うことが可能となる。そして、ジェット水流１９４を再度噴射して土１９０ｂの掘削を行うと本体１１０が更に地中深くに挿入され、図７（ｅ）に示すように噴射部１４０の先端が埋設物１９８に接触し、かかる埋設物１９８が探査される。
【００５２】
その後、必要に応じて外管１２２から内管１２４およびその先端に取り付けられている内管噴射部１４４を抜き出し、外管１２２にファイバスコープ１６０を挿入する（図５参照）。これにより、図７（ｆ）に示すように外管噴射部１４２の下端から画像を撮影し、埋設物１９８の種類等の探査装置１００下方の状況を把握することができる。なお上述したように、撮影時に外管１２２に水を流すと視野が明瞭となってより好適である。
【００５３】
上記説明したように、本実施形態にかかる探査装置１００によれば、ジェット水流１９４による掘削により形成された穴１９２ｂに本体１１０を挿入していくだけで、地中における埋設物１９８の探査を容易に行うことができる。したがって、従来のように探査装置（探査棒）を地中に刺し込むための力が必要ないため、作業者の労力の軽減を図れ、且つ埋設物１９８の損傷を確実に防ぐことが可能となる。また力をかけずに探査装置１００を単に穴１９２ｂに挿入するだけなので、従来のような圧力球根が形成されない。したがって、探査装置１００を圧力球根に貫通させるための多大な労力も不要となり、作業効率の大幅な向上を図ることができる。
【００５４】
なお、上述した探査装置１００では、管部１２０の外管１２２と内管１２４を別体とする構成としたが、ファイバスコープ１６０を挿入しない場合等、内管１２４を抜き出す必要がない場合は、以下のように外管および内管を一体としてもよい。
【００５５】
図８は、管部の他の例を示す図である。図８（ａ）は他の例としての管部２２０の外観斜視図であり、図８（ｂ）は図８（ａ）の断面図である。図９は、蓋部および噴射部の他の例を示す図である。図９（ａ）は他の例としての蓋部２３０の外観斜視図であり、図９（ｂ）は他の例としての噴射部２４０の断面斜視図である。なお、上述した実施形態と同一の構成や機能を有する要素については同一の符号を付して説明を省略する。
【００５６】
図８（ａ）および（ｂ）に示すように、管部２２０では、外管２２２および内管２２４は、それらの間に設けられる接続部２２６により接続されて一体に構成されている。なお図示しないが、管部２２０の下端においても同様に接続部２２６を設けている。接続部２２６は、外管２２２の雌螺子部２２２ｂの下から管部２２０の長手方向に沿って設けられている。このように接続部２２６を帯状に設けることにより、外管２２２および内管２２４が確実に接続される。
【００５７】
なお、上記の内管２２４には雌螺子部を設けない。管部２２０のように外管２２２と内管２２４とが一体に形成されている場合、外管２２２および内管２２４の両方に雌螺子部を設けると、管部２２０が二重に螺子を有することになる。すると、管部２２０に蓋部２３０を接続するためにこれらを回転させた際に円滑に回転させることが困難になるためである。
【００５８】
したがって、図９（ａ）に示すように、蓋部２３０においても、内管２２４に接続される部分に雄螺子部を設けず、その代わりに、内管２２４の内径よりも若干小さい外径を有する嵌入部２３２を設ける。これにより、蓋部２３０を回転させながら雄螺子部２３０ｃを外管２２２の雌螺子部２２２ｂに螺嵌することにより、嵌入部２３２が内管２２４の上端内に押し込まれ、蓋部２３０と内管２２４とを接続することができる。
【００５９】
なお、図９（ａ）のように、嵌入部２３２の上端にはパッキン２３２ａが設けられていることが好ましい。これにより、嵌入部２３２が内管２２４に押し込まれた際にパッキン２３２ａが変形して内管２２４内が密閉され、そこへの水の浸入を好適に防ぐことができる。
【００６０】
また図９（ｂ）に示すように、噴射部２４０においても外管噴射部２４２と内管噴射部２４４は一体に構成されている。このような構成であっても、外管噴射部２４２に流入した水が連通孔２４４ｃを通過して内管噴射部２４４に流れ込んでジェット水流となり、噴出孔２４４ｅから噴出する。したがって、噴射部１４０と同様にジェット水流を好適に噴射することができる。
【００６１】
なお、噴射部２４０においても、内管２２４に接続される部分には雄螺子部を設けず、外管噴射部２４２の雄螺子部２４２ａのみを設ける。内管噴射部２４４には、内管２２４の内径よりも若干小さい外径を有する嵌入部２４４ａを設ける。これにより、管部２２０に噴射部２４０を接続する場合においても円滑な着脱が可能となる。
【００６２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６３】
本発明は、地中に埋設されている埋設物を探査する埋設物探査装置に利用することができる。
【符号の説明】
【００６４】
１００…探査装置、１０２…ポンプ、１０４…コンプレッサ、１１０…本体、１２０…管部、１２２…外管、１２２ａ…ポンプ連結部、１２２ｂ…雌螺子部、１２２ｃ…凸部、１２４…内管、１２４ｂ…雌螺子部、１３０…蓋部、１３０ａ…コンプレッサ接続部、１３０ｂ…流通路、１３０ｃ…雄螺子部、１３０ｄ…雄螺子部、１３０ｅ…ハンドル取付穴、１３２…ハンドル、１４０…噴射部、１４２…外管噴射部、１４２ａ…雄螺子部、１４２ｂ…凸部、１４２ｃ…台座部、１４２ｄ…間隙、１４４…内管噴射部、１４４ａ…雄螺子部、１４４ｂ…凸部、１４４ｃ…連通孔、１４４ｅ…噴出孔、１５２…連結外管、１５２ａ…雄螺子部、１５２ｂ…雌螺子部、１５４…連結内管、１５４ａ…雄螺子部、１５４ｂ…雌螺子部、１６０…ファイバスコープ、１６０ａ…ケーブル、１７０…ハンドル、１７２…分割部材、１７２ａ…凹部、１７２ｂ…外管挟持部、１７２ｃ…係止部、１７２ｄ…ケーブル挟持部、１７４…分割部材、１７４ａ…凹部、１７４ｂ…外管挟持部、１７４ｃ…係合部、１７４ｄ…ケーブル挟持部、１９０…地面、１９０ａ…コンクリート、１９０ｂ…土、１９２ａ…穴、１９２ｂ…穴、１９４…ジェット水流、１９８…埋設物、２２０…管部、２２２…外管、２２２ｂ…雌螺子部、２２４…内管、２２６…接続部、２３０…蓋部、２３０ｃ…雄螺子部、２３２…嵌入部、２３２ａ…パッキン、２４０…噴射部、２４２…外管噴射部、２４２ａ…雄螺子部、２４４…内管噴射部、２４４ｃ…連通孔、２４４ｅ…噴出孔
【図１】
2011179833.tif 000003
【図２】
2011179833.tif 000004
【図３】
2011179833.tif 000005
【図４】
2011179833.tif 000006
【図５】
2011179833.tif 000007
【図６】
2011179833.tif 000008
【図７】
2011179833.tif 000009
【図８】
2011179833.tif 000010
【図９】
2011179833.tif 000011